(57)【要約】【課題】  被点火物に点火具で火をつけるときに風で火が消えないように風防することができる。【解決手段】  被点火物１０１及び点火具１０２を内部に挿入させるための開口部１１ａ，１１ｂが設けられ、上下面が開口された風防筒２と、風防筒２内に開閉自在に取り付けられた蓋体３と、蓋体３の開閉動作を操作するための開閉操作部材４と、この開閉操作部材４の操作にリンクして蓋体３を開閉させる開閉リンク機構５とを備える。風防筒２内で被点火物１０１に火がつけられるとき、蓋体３は、開閉操作部材４が押されることによって、リンク機構５を介して風防筒２内を閉塞し、風防筒２内の風の通り抜けを防止し、それ以外のとき風防筒２内を開放し、風防筒２内にゴミ等の異物がたまることを防止する。【選択図】  図３
2006002965.tif 000002
【特許請求の範囲】
【請求項１】
被点火物及び点火具を内部に挿入させるための開口部が１つ以上設けられ、上下面が開口された風防筒と、
上記風防筒内に開閉自在に取り付けられた蓋体と、
一端部に上記開口部に臨まされた操作部が設けられた上記蓋体の開閉動作を操作する開閉操作部材と、
上記開閉操作部材の操作にリンクして上記蓋体を開閉させる開閉リンク機構とを備え、
上記風防筒の筒内で上記被点火物に火がつけられるとき、上記蓋体は、上記開閉操作部材が押されることによって、上記リンク機構を介して上記風防筒内を閉塞し、それ以外のとき上記風防筒内を開放していることを特徴とする風防装置。
【請求項２】
上記蓋体は、上記風防筒の径方向に亘って設けられた第１の支軸により上記風防筒内に回動可能に支持されると共に、上記第１の支軸と略直交する一端部に第１の錘が設けられ、
上記開閉リンク機構は、一端部が上記蓋体を支持する支持部となると共に、他端部に第２の錘が設けられた第１のリンクアームと、
一端部が上記第１のリンクアームの上記一端部と上記他端部の間に回動可能に取り付けられ、他端部が上記開閉操作部材に回動自在に取り付けられ、中途部が上記風防筒内の第２の支軸に回動可能に取り付けられ、回動支点が一端部及び他端部方向に移動可能な第２のリンクアームとを有し、
上記開閉操作部材が押されたとき、上記第２のリンクアームは、上記回動支点を該第２のリンクアームに沿って移動させながら上記第２の支軸を支点に回動して一端部が押し上げられ、上記第１のリンクアームは、上記支持部となる一端部で上記蓋体を持ち上げ、上記蓋体は、上記第１の支軸を中心に回動して上記風防筒内を閉塞し、
上記開閉操作部材が押されていないとき、上記蓋体は、上記第１の錘により上記第１の支軸を中心に回動して上記風防筒内を開放し、上記第１のリンクアームは、第１の錘により上記支持部となる一端部が降下し、上記第２のリンクアームは、上記回動支点を該第２のリンクアームに沿って移動させながら上記第２の支軸を支点に回動して他端部が押し上げられ、上記開閉操作部材の操作部を上記開口部より突出させることを特徴とする請求項１記載の風防装置。
【請求項３】
上記風防筒には、上記開口部として、点火具を挿入するための開口部と、被点火物を挿入するための開口部が設けられていることを特徴とする請求項１又は請求項２記載の風防装置。
【請求項４】
上記風防筒の外側には、上記被点火物及び／又は点火具を収納する収納箱が設けられていることを特徴とする請求項１乃至請求項３のうち何れか１項記載の風防装置。
【発明の詳細な説明】
【技術分野】
【０００１】
本発明は、屋外の墓前等で線香、蝋燭等の被点火物に火をつけるときに、火が消えないように風を遮り、容易に着火できるようにした風防装置に関する。
【背景技術】
【０００２】
墓参の際には、仏式の場合、墓前で線香等による焼香を行う。このとき、線香等に火を付けるのに、例えばマッチやガスライター等といった点火具等が用いられる。焼香に使う線香は、比較的燃えにくく、短時間で火を付けるのは難しい。特に、結束された多数の線香に、束の状態のままで着火することは、火をつけるのに一層時間がかかり、風のある時等は風によって点火具の火が消されたりして、さらに一層時間がかかる。
【０００３】
このような問題を解決するものとしては、例えば特許文献１等に風防付きの線香着火器等が提案されているが、ガスバーナー等を備える複雑な構造のものであり、屋外の墓園等に常設するのにコスト高になる。
【０００４】
【特許文献１】特開２００４−３７１１号公報
【発明の開示】
【発明が解決しようとする課題】
【０００５】
本発明は、簡易な構成で被点火物に点火具で火をつけるときに風で火が消えないように風防することができる風防装置を提供することを目的とする。
【課題を解決するための手段】
【０００６】
本発明に係る風防装置は、被点火物及び点火具を内部に挿入させるための開口部が１つ以上設けられ、上下面が開口された風防筒と、上記風防筒内に開閉自在に取り付けられた蓋体と、一端部に上記開口部に臨まされた操作部が設けられた上記蓋体の開閉動作を操作する開閉操作部材と、上記開閉操作部材の操作にリンクして上記蓋体を開閉させる開閉リンク機構とを備える。上記風防筒の筒内で上記被点火物に火がつけられるとき、上記蓋体は、上記開閉操作部材が押されることによって、上記リンク機構を介して上記風防筒内を閉塞し、それ以外のとき上記風防筒内を開放している。
【０００７】
具体的に、上記蓋体は、上記風防筒の径方向に亘って設けられた第１の支軸により上記風防筒内に回動可能に支持されると共に、上記第１の支軸と略直交する一端部に第１の錘が設けられ、上記開閉リンク機構は、一端部が上記蓋体を支持する支持部となると共に、他端部に第２の錘が設けられた第１のリンクアームと、一端部が上記第１のリンクアームの上記一端部と上記他端部の間に回動可能に取り付けられ、他端部が上記開閉操作部材に回動自在に取り付けられ、中途部が上記風防筒内の第２の支軸に回動可能に取り付けられ、回動支点が一端部及び他端部方向に移動可能な第２のリンクアームとを有する。上記開閉操作部材が押されたとき、上記第２のリンクアームは、上記回動支点を該第２のリンクアームに沿って移動させながら上記第２の支軸を支点に回動して一端部が押し上げられ、上記第１のリンクアームは、上記支持部となる一端部で上記蓋体を持ち上げ、上記蓋体は、上記第１の支軸を中心に回動して上記風防筒内を閉塞する。上記開閉操作部材が押されていないとき、上記蓋体は、上記第１の錘により上記第１の支軸を中心に回動して上記風防筒内を開放し、上記第１のリンクアームは、第１の錘により上記支持部となる一端部が降下し、上記第２のリンクアームは、上記回動支点を該第２のリンクアームに沿って移動させながら上記第２の支軸を支点に回動して他端部が押し上げられ、上記開閉操作部材の操作部を上記開口部より突出させる。
【発明の効果】
【０００８】
本発明によれば、風防筒の筒内で被点火物に火がつけられるときに蓋体が閉塞されることから、閉塞された蓋体によって風防筒内を風が吹き抜けることを防ぐことができ、被点火物に点火具で適切に火をつけることができる。また、本発明によれば、風防筒の筒内で被点火物に火がつけられるとき以外は蓋体が開放されていることから、例えば風防装置を墓園等、屋外に設置したときに、風防筒内に枯れ葉やゴミ等といった異物が溜まることを防止できる。
【発明を実施するための最良の形態】
【０００９】
以下、本発明を適用した風防装置について、図面を参照にして詳細に説明する。
【００１０】
具体的に、図１及び図２に示すように、本発明を適用した風防装置１は、例えば線香や蝋燭等といった被点火物１０１に防風ライター等の点火具１０２で火をつけるときに、風で火が消えないようにする装置である。具体的に、風防装置１は、風よけとなる風防筒２と、風防筒２内に開閉自在に取り付けられた蓋体３と、蓋体３を開閉操作する開閉操作部材４と、被点火物１０１に火をつけるタイミングにリンクして蓋体３を開閉動作させる開閉リンク機構５と、風防筒２を地面から所定の高さで支持する支柱６とを備えている。
【００１１】
風防筒２は、高さが３００ｍｍ〜５００ｍｍ程度の筒であり、横断面が略円形、楕円形、四角形、三角形等にされている。すなわち、風防筒２は、内部が中空で上下面が開口され吹き抜けとなっている。この風防筒２が例えばステンレス等の金属やプラスチック等の防錆性に優れ、不燃性の材料により形成され、風防装置１が屋外に設置され風雨に晒されても錆びないように形成されている。なお、ここでは、風防筒２が、直径２００ｍｍ程度の略円筒形をなしているものとして説明する。
【００１２】
この風防筒２には、上端部に連続した被点火物１０１や点火具１０２を筒内に挿入させるための略凹状の開口部１１ａ，１１ｂが設けられている。開口部１１ａは、点火具１０２そのものや点火具１０２を持った手や腕等を筒内に挿入させるための切り欠きであり、その寸法は、例えば風防筒２の周回り方向の幅が９０ｍｍ程度で、風防筒２の軸線方向の上端部からの深さが１５０ｍｍ程度に形成されている。開口部１１ｂは、被点火物１０１を挿入させるための切り欠きであり、その寸法は、例えば風防筒２の周回り方向の幅が３０ｍｍ程度で、風防筒２の軸線方向の上端部からの深さが５０ｍｍ程度にされている。開口部１１ａと開口部１１ｂとは、使用者が一方の点火具１０２を持った手や腕を開口部１１ａから風防筒２内に挿入し、他方の被点火物１０１を持った手や腕を開口部１１ｂから風防筒２内に挿入し易くするため、略直角となるような離間した位置関係で設けられている。点火具１０２の火と被点火物１０１の着火点とが一致するように、開口部１１ａは開口部１１ｂより深く形成されている。
【００１３】
なお、ここでは、点火具１０２を挿入する開口部１１ａと被点火物１０１を挿入する開口部１１ｂとがそれぞれ別々に風防筒２に設けられた場合を説明したが、例えば被点火物１０１及び点火具１０２が一括して挿入できる程度の大きさの切り欠きを１つ設けるようにしても良い。また、開口部１１ｂは、少なくとも線香を挿入できるだけの大きさであればよい。さらに、開口部１１ａ，１１ｂが風防筒２の上端部から切り欠かれたものとして説明しているが、例えば風防筒２に同様の寸法の被点火物１０１等を挿入させるための窓部等が設けられていても良い。
【００１４】
この風防筒２の外周面には、管理者の連絡先、商品名、使用方法、更には道標や家紋等といった表示や模様等を表示する表示部７が設けられている。また、風防筒２の上端は、笠木８が設けられている。
【００１５】
この風防筒２内に取り付けられる蓋体３は、例えばステンレス等の金属、プラスチック等といった防錆性に優れ、不燃性の材料により形成され、全体が風防筒２を閉塞することができる大きさに、例えば略円形に形成されている。具体的に、蓋体３は、円板の外径が風防筒２の内径よりも数ｍｍ〜数ｃｍ程度小さくされている。蓋体３は、風防筒２の長さ方向の略中央部付近に風防筒２の径方向の略中心を貫くように設けられた第１の支軸１２によって回動可能に取り付けられ、第１の支軸１２を回動支点とした回動によって、風防筒２内を開閉することができるようになっている。この蓋体３は、例えば後述する開閉リンク機構５により風防筒２内で第１の支軸１２を支点にして開閉自在にされ、風防筒２内で被点火物１０１に火がつけられるときは閉塞され、それ以外のときは開放される。
【００１６】
この蓋体３の第１の支軸１２と直交する方向の一端部には、裏面側に第１の錘９が設けられている。この第１の錘９は、蓋体３の第１の支軸１２と直交する一端部に設けられることで、自重で蓋体３が第１の支軸１２を支点に回動させ、非操作時において、常に、風防筒２内を開放するようにしている。また、この蓋体３は、第１の支軸１２と直交する他端部に、後述する開閉操作部材４の断面積より大きく切り欠かれた切欠部１３が設けられ、風防筒２内を閉塞したときに蓋体３が開閉操作部材４に接触しないようにされている。
【００１７】
蓋体３を開閉操作する開閉操作部材４は、例えばステンレス等の金属、プラスチック等といった防錆性に優れ、不燃性の材料により略細棒状に形成されている。この開閉操作部材４は、一端部４ａが点火具１０２を持った手や腕等を風防筒２内に挿入させるための開口部１１ａより外部に臨み、他端部４ｂに開閉リンク機構５を構成する第２のリンクアーム１５の他端部１５ｂが取り付けられる。開閉操作部材４は、風防筒２の内周面に取り付けられたガイド管１９に挿通されることで、風防筒２の高さ方向にスライドするように風防筒２の内周面に支持されている。開閉操作部材４には、その一端部４ａに、点火具１０２を持った手や腕等が当接される操作部となる受け台２０が設けられている。
【００１８】
以上のような開閉操作部材４の操作にリンクして蓋体３を回動する開閉リンク機構５は、蓋体３を開閉する第１のリンクアーム１４と、この第１のリンクアーム１４に取り付けられる第２のリンクアーム１５とを有している。第１のリンクアーム１４は、例えばステンレス等の金属、プラスチック等といった防錆性に優れた材料により略棒状に形成されている。第１のリンクアーム１４は、その一端部１４ａが蓋体３の第１の支軸１２と直交する一端部で第１の錘９の近傍を裏面側から支持する支持部となる。また、第１のリンクアーム１４の他端部１４ｂは、第２の錘１６がねじ等により一体的に取り付けられている。第１のリンクアーム１４の一端部１４ａと他端部１４ｂとの間の中途部には、リンク部１４ｃが設けられ、この接続リング部１４ｃには、第２のリンクアーム１５の一端部が接続される。
【００１９】
第２のリンクアーム１５は、上述した第１のリンクアーム１４と同様、例えばステンレス等の金属、プラスチック等といった防錆性に優れた材料により略棒状に形成されている。第２のリンクアーム１５は、一端部１５ａに、接続リング部１５ｃが設けられ、この接続リング部１５ｃは、第１のリンクアーム１４の接続リング部１４ｃに接続される。また、第２のリンクアーム１５の他端部１５ｂにも接続リング部１５ｄが設けられ、この接続リング部１５ｄは、開閉操作部材４の他端部４ｂに設けられた貫通孔４ｃに係合される。開閉操作部材４の他端部４ｂと第１のリンクアーム１４の中途部とを接続する第２のリンクアーム１５は、その中程が移動支点となるように回動可能に支持されている。すなわち、第２のリンクアーム１５は、風防筒２内に設けられた蓋体３の第１の支軸１２と平行な第２の支軸１８に設けられた支持リング１８ａに挿通されることにより回動可能に支持されている。第２のリンクアーム１５の中程には、ストッパ片１５ｅが設けられており、支持リング１８ａに係止されることにより、支持リング１８ａに対する第２のリンクアーム１５の移動量を規制するようにしている。
【００２０】
風防筒２を支持する支柱６は、例えばステンレス等の金属、プラスチック等といった防錆性に優れ、不燃性の材料に略細棒状に形成されている。支柱６は、風防筒２の外周面に設けられたスリーブ２ａに挿通されることにより、風防筒２を回動可能に支持する。したがって、風防筒２は、風の向きによって向きを変えることができる。支柱６は、風防筒２の取付位置（例えば風防筒２の軸線方向の上端部が地面から１０００ｍｍ程度のところ）において、スリーブ２ａの上端及び下端の対応位置に、割ピン６ｃ，６ｃが係止され、風防筒２の取付位置がずれないようにしている。これにより、風防筒２は、手に持った被点火物１０１や点火具１０２等を筒内に挿入し易い位置に保持される。
【００２１】
スリーブ２ａの上端及び／又は下端には、風防筒２の回動量を規制する回動規制片２ｂが設けられている。回動規制片２ｂは、割ピン６ｃに突き当たることで、風防筒２の回動量を規制する。風防筒２の回動量は例えば１３０°である。
【００２２】
支柱６の下端部６ａは、地面Ｇに突き刺すため先鋭に形成され、上端部６ｂには、ねじ部が形成されている。上端部６ｂには、風防筒２が支柱６から取り外されてしまうことを防止するキャップ６ｄがねじ作用により取り付けられる。なお、キャップ６ｄは、鋳物や陶器で形成された鳥、魚等の模型を取り付けるようにしてもよい。また、キャップ６ｄは、例えばフック等を有するものを取り付けることで、帽子や洋服等を掛けられるようにしてもよい。また、支柱６の下端部６ａは、地面Ｇに突き刺し設置されるものであればよく、例えば、支柱６の下端部６ａが３本に枝分かれし、安定して設置できるようにしたものであってもよい。さらに、支柱６の下端部６ａ近傍に補助脚を設けるようにしてもよい。
【００２３】
以上のような構成の風防装置１を用いて被点火物１０１に火をつける際は、点火具１０２を持った手を開口部１１ａより風防筒２内に挿入し、被点火物１０１を開口部１１ｂより風防筒２内に挿入する。
【００２４】
このとき、図３に示すように、点火具１０２を持った方の腕によって開口部１１ａより臨む受け台２０を押圧し、受け台２０を介して開閉操作部材４を押し下げ、開閉操作部材４を図３中矢印Ａ方向にスライドさせる。これにより、開閉操作部材４の他端部４ｂと接続された第２のリンクアーム１５は、他端部１５ｂが押し下げられる。そして、第２のリンクアーム１５は、第２の支軸１８の支持リング１８ａ内を移動し、すなわち回動支点を移動させながら一端部１５ａが上を向くように回動する。すると、第１のリンクアーム１４は、上昇し、一端部１４ａの支持部で蓋体３を第１の支軸１２を中心に回動させて持ち上げる。これにより、蓋体３は、風防筒２内を閉塞し、風が風防筒２内を通り抜けることを防止し、点火具１０２に灯った火が被点火物１０１に点火される前に風により吹き消されることを防止できる。
【００２５】
被点火物１０１に適切に火がつけられた後は、点火具１０２を持った方の腕は開口部１１ａから臨む受け台２０より外され、点火された被点火物１０１は開口部１１ｂより風防筒２外に取り出される。すると、蓋体３は、第１の錘９の自重で第１の支軸１２を中心に回動して、風防筒２内を開放すると共に、第１のリンクアーム１４は、第２の錘１６の自重により降下する。すると、第１のリンクアーム１４の接続リング部１４ｃに接続された第２のリンクアーム１５は、回動支点を移動させながら他端部１５ｂを上昇させる方向に回動し、これにより、第２のリンクアーム１５に接続された開閉操作部材４も図３中反矢印Ａ方向に上昇し、操作部となる受け第２０を開口部１１ａより突出させる。なお、第１のリンクアーム１４は、他端部１４ｂに第２の錘１６が設けられていることから、常に鉛直の姿勢を保持することができ、蓋体３の支持部となる一端部１４ａを、常に蓋体３を持ち上げることができる蓋体３の内側に位置させることができる。
【００２６】
以上のように、風防装置１は、被点火物１０１に火をつける動作をしていないとき、蓋体３が風防筒２内を開放状態した状態となっている。これにより、風防装置１では、例えば墓園等屋外に設置されたときに、風防筒２内に枯れ葉やゴミ等といった異物が溜まることを防止できる。また、風防装置１においては、風防筒２の外周面に表示部７が設けられ、この表示部７に管理者の連絡先、商品名、使用方法、更には道標や家紋等といった表示や模様を設けることができ、設置された場所の雰囲気に合った外観にできる。また、開口部１１ａに点火具１０２を持った手を入れる一連の動作の中で受け台２０に手を置き開閉操作部材４を押圧し、風防筒２内の蓋体３を閉塞することができ、風防筒２内を風が吹き抜けることを防止することができ、被点火物１０１に点火具１０２で適切に火をつけることができる。
【００２７】
なお、上述のように、点火具１０２を挿入する開口部１１ａ側に開閉操作部材４を設けることについて述べたが、これに限らず、被点火物１０１を挿入する開口部１１ｂ側に開閉操作部材４を設けるようにしてもよい。
【００２８】
図４に示すように、本発明を適用した風防装置１は、風防筒２の外周面に、被点火物１０１に点火具１０２を収納するための収納箱３１を設けるようにしても良い。具体的に、この収納箱３１は、図５に示すように、箱本体３２と蓋体３３とから構成されている。箱本体３２と蓋体３３とは、外枠３２ａ，３３ａがステンレス等の金属、プラスチック、御影石等の防錆性に優れ、不燃性の材料で形成されている。箱本体３２は、上面に、被点火物１０１に点火具１０２を出し入れをするための開口部３４が形成されている。また、箱本体３２の外枠３２ａの側面内側には、断熱材３２ｂが設けられ、更に、断熱材３２ｂの内側に、タイル３２ｃが張られている。箱本体３２の底面は、更に複数の通気孔３２ｄが設けられている。箱本体３２は、側面に断熱材３２ｂを設け、更に底面に通気孔３２ｄを設けることで、蓋体３３で開口部３４が閉塞された際、内部の温度が上がり過ぎないようにし、収納物の保護を図っている。なお、この通気孔３２ｄの代わりに、箱本体３２の底面全体に虫除け網を張ってもよい。これにより、温度が上がり過ぎないようにするとともに、虫の箱本体３２内への侵入を防止することができる。また、通気孔３２ｄに虫除け網を覆うようにしてもよい。また、箱本体３２の底面は、周囲より一段くぼませて、側面を伝って底面の通気孔３２ｄより雨水等の浸入を防止することができる。
【００２９】
箱本体３２の開口部３４を閉塞する蓋体３３の内側にも、断熱材３３ｂが設けられている。この蓋体３３は、箱本体３２に設けられた支軸３５に回動可能に取り付けられている。蓋体３３は、箱本体３２の開口部３４を閉塞している状態から支軸３５の軸線に沿って持ち上げた後回動することによって開口部３４を開放する。
【００３０】
以上のような収納箱３１は、取付部材３６を介して風防筒２の外周面に溶接等によって取り付けられている。風防筒２に収納箱３１を設けることによって、墓参りの際に、被点火物１０１や点火具１０２を持参する必要が無くなる。また、被点火物１０１や点火具１０２を墓参りに忘れたときにも、収納箱３１に収納された被点火物１０１や点火具１０２を使って墓参りを行うことができる。
【００３１】
なお、風防筒２が陶器等からなり、第１の支軸１２及び第２の支軸１８を支持するための加工が困難な材料で形成されている場合、第１の支軸１２及び第２の支軸１８は、風防筒２の内側に取り付けるステンレス等の防錆性に優れた金属フレーム等で支持するようにしてもよい。
【図面の簡単な説明】
【００３２】
【図１】本発明が適用された風防装置を示す斜視図である。
【図２】風防筒内を蓋体が開放した状態を示す断面図である。
【図３】風防筒内を蓋体が閉塞した状態を示す断面図である。
【図４】風防筒に収納箱を設けた風防装置の他の例を示す斜視図である。
【図５】収納箱の内部構成を示す斜視図である。
【符号の説明】
【００３３】
１  風防装置、２  風防筒、３  蓋体、４  開閉操作部材、５  開閉リンク機構、６  支柱、９  第１の錘、１１ａ，１１ｂ  開口部、１２  第１の支軸、１４  第１のリンクアーム、１５  第２のリンクアーム、１６  第２の錘、１８  第２の支軸、２０  受け台
【図１】
2006002965.tif 000003
【図２】
2006002965.tif 000004
【図３】
2006002965.tif 000005
【図４】
2006002965.tif 000006
【図５】
2006002965.tif 000007